(57)【要約】【課題】音声をオンオフできる操作手段を備え、その操作手段を操作することで音声の出力を停止することができる警報器を提供する。【解決手段】マイコン４は、異常を検出すると、その旨の音声警報及び表示警報を発生する。音声スイッチ１３は、ＯＮ側とＯＦＦ側との間で切替操作できるものであり、マイコン４は、音声スイッチ１３の位置に関係なく、異常を検出していない状態から異常を検出した状態に変化すると、音声警報と表示警報との双方の警報を発生させる。また、マイコン４は、警報発生中に、音声スイッチ１３がオン位置からオフ位置への切替操作が行われると、音声警報を停止して表示警報を継続する。【選択図】図１
2015230596.tif 000002
【特許請求の範囲】
【請求項１】
異常を検出すると、その旨の音声警報及び表示警報を発生する異常検出・警報手段を備えた警報器において、
前記音声警報を停止させる操作手段をさらに備え、
前記異常検出・警報手段が、前記操作手段の操作に応じて前記音声警報のみを停止させる
ことを特徴とする警報器。
【請求項２】
前記操作手段は、オン位置とオフ位置との間で切替操作できるものであり、
前記異常検出・警報手段は、前記操作手段の位置に関係なく、異常を検出していない状態から異常を検出した状態に変化すると、音声警報と表示警報との双方の警報を発生させる
ことを特徴とする請求項１に記載の警報器。
【請求項３】
前記異常検出・警報手段は、警報発生中に、前記操作手段がオン位置からオフ位置への切替操作が行われると、音声警報を停止して表示警報を継続する
ことを特徴とする請求項２に記載の警報器。
【請求項４】
前記異常検出・警報手段が、前記操作手段がオフ位置の状態で、前記音声警報と前記表示警報との双方が発生している場合、前記操作手段をオフ位置からオン位置に切り替え、その後、オン位置からオフ位置に切り替えると、音声警報を停止し、表示警報を継続させる
ことを特徴とする請求項３に記載の警報器。
【請求項５】
前記異常検出・警報手段は、前記操作手段がオフ位置の状態で、前記音声警報が停止し前記表示警報のみが発生している場合、前記操作手段をオフ位置からオン位置に切り替え、その後、オン位置からオフ位置に切り替えると、前記音声警報を再び発生させる
ことを特徴とする請求項３又は４に記載の警報器。
【請求項６】
前記操作手段がオフ位置の状態で、かつ、異常が検出されていない状態が所定時間以上継続すると、前記操作手段がオフ位置である旨を報知する報知手段をさらに備えた
ことを特徴とする請求項３〜５何れか１項に記載の警報器。
【発明の詳細な説明】
【技術分野】
【０００１】
本発明は、警報器に係り、特に、音声スイッチが設けられた警報器に関するものである。
【背景技術】
【０００２】
従来、警報器は、ガス濃度が所定の閾値を超えると異常を検出して、その旨の警報を発生する。しかし、警報器は、以下のように誤警報してしまう場合がある。例えば、使用者が警報器付近にいるゴキブリに殺虫剤を吹き掛けた場合、殺虫剤が警報器に内蔵されたセンサの活性炭等に付着してしまい、誤警報が長時間に渡り鳴り続けることになる。また、台所で多めのお酒を長時間に渡り燗を付けると、アルコールが警報器に内蔵されたセンサの活性炭等に付着してしまい、誤警報が長時間に渡り鳴り続けることになる。
【０００３】
しかしながら、ガス警報器の警報音は非常に大きな音で、耳障りであるため、使用者宅のみならず、近隣にとっても非常に迷惑である。ＡＣ１００Ｖ式警報器の場合、ＡＣ１００Ｖ用プラグを抜けば、取り急ぎ警報器を停止することができた。しかし、電池式警報器の場合は、例えば裏面にある電源スイッチをオフにして、そのままオンに戻す操作を忘れ、放置されてしまったり、冷蔵庫の奥に入れてドアを閉められたり、水の中につけられてしまう場合があり、その後、ガス漏れの検知が行われず、問題となっている。
【発明の概要】
【発明が解決しようとする課題】
【０００４】
そこで、本発明は、音声をオンオフできる操作手段を備え、その操作手段を操作することで音声の出力を停止することができる警報器を提供することを課題とする。
【課題を解決するための手段】
【０００５】
上記課題を解決するためになされた請求項１記載の発明は、異常を検出すると、その旨の音声警報及び表示警報を発生する異常検出・警報手段を備えた警報器において、前記音声警報を停止させる操作手段をさらに備え、前記異常検出・警報手段が、前記操作手段の操作に応じて前記音声警報のみを停止させることを特徴とする警報器に存する。
【０００６】
請求項２記載の発明は、前記操作手段は、オン位置とオフ位置との間で切替操作できるものであり、前記異常検出・警報手段は、前記操作手段の位置に関係なく、異常を検出していない状態から異常を検出した状態に変化すると、音声警報と表示警報との双方の警報を発生させることを特徴とする請求項１に記載の警報器に存する。
【０００７】
請求項３記載の発明は、前記異常検出・警報手段は、警報発生中に、前記操作手段がオン位置からオフ位置への切替操作が行われると、音声警報を停止して表示警報を継続することを特徴とする請求項２に記載の警報器に存する。
【０００８】
請求項４記載の発明は、前記異常検出・警報手段が、前記操作手段がオフ位置の状態で、前記音声警報と前記表示警報との双方が発生している場合、前記操作手段をオフ位置からオン位置に切り替え、その後、オン位置からオフ位置に切り替えると、音声警報を停止し、表示警報を継続させることを特徴とする請求項３に記載の警報器に存する。
【０００９】
請求項５記載の発明は、前記異常検出・警報手段は、前記操作手段がオフ位置の状態で、前記音声警報が停止し前記表示警報のみが発生している場合、前記操作手段をオフ位置からオン位置に切り替え、その後、オン位置からオフ位置に切り替えると、前記音声警報を再び発生させることを特徴とする請求項３又は４に記載の警報器に存する。
【００１０】
請求項６記載の発明は、前記操作手段がオフ位置の状態で、かつ、異常が検出されていない状態が所定時間以上継続すると、前記操作手段がオフ位置である旨を報知する報知手段をさらに備えたことを特徴とする請求項３〜５何れか１項に記載の警報器に存する。
【発明の効果】
【００１１】
以上説明したように請求項１記載の発明によれば、使用者は操作手段の操作を行うことにより、簡単にわずらわしい音声警報のみを停止させることができる。
【００１２】
請求項２記載の発明によれば、操作手段の位置に関係なく、異常を検出していない状態から異常を検出した状態に変化すると、音声警報と表示警報との双方の警報を発生して、使用者に確実に異常を伝えることができる。
【００１３】
請求項３記載の発明によれば、警報が発生した場合、使用者は操作手段のオン位置からオフ位置への切替操作を行うことにより、簡単にわずらわしい音声警報のみを停止し、表示警報については継続して発生したままにすることができる。
【００１４】
請求項４記載の発明によれば、操作手段がオフ位置にあって、音声警報と表示警報との双方が発生している場合、使用者は操作手段をオフ位置→オン位置→オフ位置に切り替えることにより、再びわずらわしい音声警報を停止させることができる。
【００１５】
請求項５記載の発明によれば、音声警報停止中でも、使用者は簡単なスイッチ操作により音声警報を再び発生させることができ、警報器がどういう理由で警報をしていたかを知ることができ、窓を開けて換気する等の適切な対応をとることができる。
【００１６】
請求項６記載の発明によれば、報知手段により操作手段がオフ位置のままであることを使用者に気付かせ、使用者に操作手段をオン位置に切り替えさせることができる。
【図面の簡単な説明】
【００１７】
【図１】本発明の警報器としてのガス警報器の電気構成図である。
【図２】（Ａ）は図１に示すガス警報器の正面外観図であり、（Ｂ）は（Ａ）のＩ−Ｉ線断面図であり、（Ｃ）は（Ａ）に示すガス警報器の背面外観図である。
【図３】図１に示すマイコンの処理手順を示すフローチャートである。
【発明を実施するための形態】
【００１８】
以下、本発明の警報器としてのガス警報器を図１及び図２に基づいて説明する。同図に示すように、複合警報器１は、火災を検出する火災検出部２と、ガス濃度を検出するガス検出部３と、これら火災検出部２及びガス検出部３からの検出結果が供給されるマイクロコンピュータ（以下マイコン）４と、を備えている。
【００１９】
また、複合警報器１は、火災（＝異常）、ガス漏れ（＝異常）を表示で警報するＬＥＤ５と、火災、ガス漏れを音声で警報するスピーカ６と、ＬＥＤ５を駆動するための表示出力部７と、スピーカ６を駆動するための音声出力部８と、火災、ガス漏れなどの各種情報を外部に出力する外部出力送信部９と、を備えている。なお、以下、上記ＬＥＤ５での警報を「表示警報」、上記スピーカ６での警報を「音声警報」と言う。
【００２０】
火災検出部２は周知の火災センサから構成され、ガス検出部３は周知のガスセンサから構成されている。マイコン４は、周知のＣＰＵ、ＲＯＭ、ＲＡＭから構成されていて、検出処理部４Ａと、警報処理部４Ｂと、外部出力処理部４Ｃと、記憶部４Ｄと、スイッチ処理部４Ｅと、を備えている。検出処理部４Ａには、上述した火災検出部２及びガス検出部３の検出結果が供給されている。検出処理部４Ａは、この火災検出部２及びガス検出部３の検出結果から火災、ガス漏れを検出する。
【００２１】
警報処理部４Ｂは、表示出力部７及び音声出力部８を制御する。警報処理部４Ｂは、検出処理部４Ａにより火災又はガス漏れが検出されると、表示出力部７及び音声出力部８を制御してその旨を伝える表示警報及び音声警報を発生させる。
【００２２】
外部出力処理部４Ｃは、火災又はガス漏れの警報を発生した旨などの各種情報を外部出力送信部９から出力させる。記憶部４Ｄは、上記ＲＡＭ、ＲＯＭなどから構成され、マイコン４の処理に必要なデータなどが格納されている。即ち、上記火災検出部２、ガス検出部３及びマイコン４が、異常検出・警報手段を構成している。スイッチ処理部４Ｅは、後述する音声スイッチ１３を構成するスイッチ素子１３Ｂのオンオフを検出する。
【００２３】
図２に示すように、火災検出部２、ガス検出部３、マイコン４、ＬＥＤ５、スピーカ６、表示出力部７及び音声出力部８は、配線板１０上に実装され、ケース１１内に収容されている。
【００２４】
また、複合警報器１は、図１に示すように、ＡＣ電源に接続するためのＡＣプラグＰと、ＡＣプラグＰからの交流電源を直流に変換して、火災検出部２、ガス検出部３、マイコン４、ＬＥＤ５、スピーカ６、表示出力部７及び音声出力部８（以下、これらを「マイコン４など」と略記する）に供給する電源部１２と、音声警報のオンオフを行う操作手段としての音声スイッチ１３と、を備えている。
【００２５】
音声スイッチ１３は、図２に示すように、ケース１１の背面から突出し、ＯＮ側（オン位置）とＯＦＦ側（オフ位置）との間でスライド自在なノブ１３Ａと、ノブ１３ＡがＯＮ側にあるときオンし、ノブ１３ＡがＯＦＦ側にあるときオフするスイッチ素子１３Ｂと、を備えている。使用者は、このノブ１３Ａをスライドすることにより、切替操作を行うことができる。
【００２６】
スイッチ素子１３Ｂは、配線板１０上に実装されている。マイコン４のスイッチ処理部４Ｅは、このスイッチ素子１３Ｂのオンオフ状態を監視することにより、音声スイッチ１３がＯＮ側にあるか、ＯＦＦ側にあるかを検出することができる。
【００２７】
次に、上述した構成の複合警報器１の動作について図３に示すフローチャートを参照して説明する。上述した構成の複合警報器１は、工場出荷時は音声スイッチ１３のノブ１３ＡがＯＮ側に設定されて出荷されている。
【００２８】
ＡＣプラグＰをコンセントに接続すると、電源部１２からマイコン４などに対して電源が供給される。この電源供給に応じて、マイコン４は図３に示す処理をスタートさせて火災、ガス漏れ監視状態となる。電源が供給されると、マイコン４は、火災検出部２及びガス検出部３からの検出結果を取得する（ステップＳ１）。次に、マイコン４は、ステップＳ１で取得した検出結果に基づいて火災、ガス漏れを検出すると（ステップＳ２でＹ）、ＬＥＤ５を点灯させると共にスピーカ６から警報音を発生させることにより、音声警報及び表示警報の双方を発生させる（ステップＳ３）。
【００２９】
この警報の発生に応じて使用者が音声スイッチ１３のノブ１３ＡをＯＦＦ側にスライドさせる。マイコン４は、音声警報及び表示警報の発生中に、音声スイッチ１３のＯＮ側からＯＦＦ側への切替を検出すると（ステップＳ４でＹ、かつ、ステップＳ５でＹ）、音声警報については停止し表示警報は継続させた後（ステップＳ６）、ステップＳ８に進む。また、音声警報が停止し表示警報のみの発生中に、音声スイッチ１３のＯＮ側からＯＦＦ側への切替操作を検出すると（ステップＳ４でＹ、かつ、ステップＳ５でＮ）、再び音声警報を発生させた後（ステップＳ７）、ステップＳ８に進む。一方、音声スイッチ１３のＯＮ側からＯＦＦ側への切替を検出しなければ（ステップＳ４でＮ）、マイコン４は、ステップＳ６に進むことがないので、音声警報及び表示警報の双方が継続された状態で、ステップＳ８に進む。
【００３０】
ステップＳ８においては、マイコン４は、再び火災検出部２及びガス検出部３からの検出結果を取得する。そして、取得した検出結果に基づいて火災、ガス漏れが継続していた場合（ステップＳ９でＹ）、マイコン４は、ステップＳ４に戻る。一方、火災、ガス漏れが継続していなかった場合（ステップＳ９でＮ）、マイコン４は、全ての警報を停止した後（ステップＳ１０）、ステップＳ１に戻る。
【００３１】
一方、ステップＳ１で取得した検出結果に基づいて火災、ガス漏れが発生していなかった場合（ステップＳ２でＮ）、マイコン４は、音声スイッチ１３がＯＦＦ側になっているか否かを判定する（ステップＳ１１）。ＯＦＦ側になっている場合（ステップＳ１１でＹ）、マイコン４は、タイマーのカウント値Ｔをカウントアップさせる（ステップＳ１２）。一方、ＯＮ側になっている場合（ステップＳ１１でＮ）、マイコン４は、タイマーのカウント値Ｔを０リセットした後（ステップＳ１５）、後述するステップＳ１４の報知が出力されていれば停止した後（ステップ１６）、ステップＳ１に戻る。これにより、タイマーのカウント値Ｔは、音声スイッチ１３がＯＦＦ側に設定され、かつ、異常が検出されていない状態の継続時間となる。
【００３２】
カウントアップさせた結果、カウント値Ｔが所定時間以上になると（ステップＳ１３でＹ）、マイコン４は、音声スイッチ１３がＯＦＦ側で、かつ、異常が検出されていない状態が所定時間以上継続していると判定して、報知手段として機能し、ＬＥＤ５やスピーカ６を制御して、音声スイッチ１３がＯＦＦ側になっている旨を報知する（ステップＳ１４）。例えば、スピーカ６から「音声スイッチ１３がＯＦＦのままです。ＯＮに戻してください。」と出力する。その後、音声スイッチ１３がＯＮ側になれば（ステップＳ１１でＮ）、タイマーのカウント値Ｔが０リセットされ（ステップＳ１５）、音声スイッチ１３がＯＦＦ側になっている旨の報知が停止されて（ステップＳ１６）、ステップＳ１に戻る。
【００３３】
上述した複合警報器１によれば、音声スイッチ１３を操作することにより、音声警報のみを停止させることができる。これにより、使用者は音声スイッチ１３の操作を行うことにより、簡単にわずらわしい音声警報のみを停止させることができる。
【００３４】
また、上述した複合警報器１によれば、異常を検出していない状態から異常を検出した状態に変化すると（ステップＳ２でＹ）、音声スイッチ１３の位置に関係なく（音声スイッチ１３がＯＦＦ側にあっても）、音声警報及び表示警報の双方が出力される（ステップＳ３）。これにより、音声スイッチ１３をＯＦＦ側にして音声警報を停止した後（ステップＳ５）、例えば、活性炭に付着した殺虫剤やアルコール等が蒸発して異常の検出が継続されなくなり（ステップＳ９でＮ）、警報が停止された後（ステップＳ１０）、再び異常を検出すると（ステップＳ２でＹ）、音声警報及び表示警報の双方を発生することができ（ステップＳ３）、使用者に確実に異常を伝えることができる。
【００３５】
また、上述した複合警報器１によれば、音声警報及び表示警報の双方が発生中に、音声スイッチ１３をＯＮ側からＯＦＦ側に切り替えると（ステップＳ４でＹかつステップＳ５でＹ）、マイコン４は、音声警報のみを停止する。この状態で、異常の検出が継続されている場合、表示警報は継続されている。これにより、誤警報が発生した場合、使用者は音声スイッチ１３のＯＮ側からＯＦＦ側への切替操作を行うことにより、簡単にわずらわしい音声警報のみを停止することができる。
【００３６】
また、上述した複合警報器１によれば、音声警報が停止され表示警報のみが発生中に、音声スイッチ１３をＯＮ側からＯＦＦ側に切り替えると（ステップＳ４でＹかつステップＳ５でＮ）、マイコン４は、再び音声警報を発生させる。これにより、音声警報停止中でも、使用者は簡単なスイッチ操作により音声警報を再び発生させることができ、複合警報器１がどういう理由で警報をしていたかを知ることができ、窓を開けて換気する等の適切な対応をとることができる。
【００３７】
上述した状態（音声スイッチ１３がＯＦＦ側にあって、音声警報と表示警報との双方が発生している状態）で、音声スイッチ１３をＯＦＦ側からＯＮ側に切り替え、その後、ＯＮ側からＯＦＦ側に切り替えると、ステップＳ４でＹとなり、再び音声警報を停止することができる。
【００３８】
また、上述した複合警報器１によれば、マイコン４は、音声スイッチ１３がＯＦＦ側の状態で、かつ、異常が検出されていない状態が所定時間以上継続すると、音声スイッチ１３がＯＦＦ側である旨をＬＥＤ５及びスピーカ６を用いて報知する（ステップＳ１４）。これにより、音声スイッチ１３がＯＦＦ側のままであることを使用者に気付かせ、使用者に本来の位置であるＯＮ側に音声スイッチ１３を切り替えさせることができる。
【００３９】
なお、上述した実施形態によれば、タイマーを用いて、音声スイッチ１３がＯＦＦ側の状態で、かつ、異常が検出されていない状態の継続時間をカウントしていたが、これに限ったものではない。例えば、複合警報器１には、通電時間をカウントする通電タイマーが内蔵されているが、通電タイマーのカウント値から上記継続時間を求めるようにしてもよい。
【００４０】
また、上述した実施形態によれば、ガス漏れと火災を警報する複合警報器１であったが、これに限ったものではない。例えば、ガス漏れのみを警報するガス警報器に適用してもよいし、火災のみを警報する火災警報器に適用してもよい。また、一酸化炭素の発生を警報するＣＯ警報器に適用することも考えられる。
【００４１】
また、上述した実施形態によれば、音声スイッチ１３としては、ＯＮ側とＯＦＦ側とで切り替えられるスライドスイッチを用いていたが、これに限ったものではない。プッシュスイッチなどを用いることも考えられる。
【００４２】
また、上述した実施形態によれば、複合警報器１はコンセントから電源供給を受けていたが、これに限ったものではない。例えば、複合警報器１内に電池を内蔵し、電池から電源供給を受けるようにしてもよい。
【００４３】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４４】
１  複合警報器（警報器）
２  火災検出部（異常検出・警報手段）
３  ガス検出部（異常検出・警報手段）
４  マイコン（異常検出・警報手段、報知手段）
１３  音声スイッチ（操作手段）
【図１】
2015230596.tif 000003
【図２】
2015230596.tif 000004
【図３】
2015230596.tif 000005